(57)【要約】【課題】  使用者が手を汚すことなく液体の供給作業を行うことができる給液補助具を提案することにある。【解決手段】  ホームタンク100の吐出口101に取り付けられ伸縮自在に形成された管体５と、当該管体５の外面に突出形成されたストッパ機能付取手部６とを設けるようにした。これにより液体燃料が付着した筒体５であっても、ストッパ機能付取手部６を用いることにより筒体５を直接触れずに当該筒体５を伸縮させることができるので、管体５に付着した液体燃料が使用者の手に付着することを未然に防止でき、かくして使用者が手を汚すことなく液体燃料の供給作業を行うことができる。【選択図】        図１
0003108433.tif 000002
【実用新案登録請求の範囲】
【請求項１】
第１の液体タンクの吐出口から吐出する液体を、給液口が設けられた第２の液体タンクへ導入する給液補助具において、前記第１の液体タンクの吐出口に取り付けられ伸縮自在に形成された管体と、該管体の外面に突出形成された取手部とを備えたことを特徴とする給液補助具。
【請求項２】
第１の液体タンクの吐出口から吐出する液体を、給液口が設けられた第２の液体タンクへ導入する給液補助具において、前記第１の液体タンクの吐出口に取り付けられ伸縮自在に形成された管体と、該管体の外面に突出形成され、前記管体を伸ばしたときに前記第２の液体タンクに当接する管体位置決め部とを備えたことを特徴とする給液補助具。
【請求項３】
前記取手部は、前記管体を伸ばしたときに前記第２の液体タンクに当接することを特徴とする請求項１記載の給液補助具。
【請求項４】
前記管体位置決め部は、ほぼ水平状に形成されていることを特徴とする請求項２記載の給液補助具。
【請求項５】
前記管体は、外管と該外管に挿通された内管とを備え、前記内管の内部には、貫通孔から前記外管の内面に接触する摺接部と、該摺接部を前記外管の内面へ付勢する弾性部とが設けられていることを特徴とする請求項１乃至４のうちいずれか１項記載の給液補助具。
【請求項６】
前記第１の液体タンク及び前記第２の液体タンクがそれぞれ液体燃料タンクであることを特徴とする請求項１乃至５のうちいずれか１項記載の給液補助具。
【請求項７】
前記菅体は、複数の菅部で構成されており、前記複数の菅部は、前記第１の液体タンクの吐出口に取り付けられた基端側から先端側へゆくに従って段階的に径が大きく選定されていることを特徴とする請求項１乃至６のうちいずれか１項記載の給液補助具。
【考案の詳細な説明】
【技術分野】
【０００１】
この考案は、給液補助具に関し、例えば、第１の液体タンクとしてのホームタンクに貯蔵されたガソリンや灯油などの液体燃料を第２の液体タンクとしてのポリタンクへ導入する給油補助具に適用して好適なものである。
【背景技術】
【０００２】
従来、ホームタンクに貯蔵された液体燃料をポリタンクへ供給する供給作業を行う際には、特開２００３−２３１６００号公報にあるように、伸縮自在に形成された取り出し口装置（給油補助具）を用いることが考えられている。
【０００３】
実際上、この取り出し口装置は、外管に内管が挿通された構成でなり、内管がホームタンクの吐出口に取り付けられ、外管をスライドさせることにより先端をポリタンクの給油口に挿入させ、ホームタンクの吐出口から吐出した液体燃料をポリタンク内へ供給している。
【考案の開示】
【考案が解決しようとする課題】
【０００４】
ところが、このような取り出し口装置では、ポリタンクの給油口に外管を出し入れする際、使用者が直接外管を把持する必要があるため、外管をポリタンク内に入れ過ぎて外管に液体燃料が付着していると、外管を把持したときに使用者の手にも液体燃料が付着してしまうという問題があった。
【０００５】
そこで、本考案は以上の点を考慮してなされたもので、使用者が手を汚すことなく液体の供給作業を行うことができる給液補助具を提案しようとするものである。
【課題を解決するための手段】
【０００６】
本考案の請求項１は、第１の液体タンクの吐出口から吐出する液体を、給液口が設けられた第２の液体タンクへ導入する給液補助具において、前記第１の液体タンクの吐出口に取り付けられ伸縮自在に形成された管体と、該管体の外面に突出形成された取手部とを備えるものである。
【０００７】
本考案の請求項２は、第１の液体タンクの吐出口から吐出する液体を、給液口が設けられた第２の液体タンクへ導入する給液補助具において、前記第１の液体タンクの吐出口に取り付けられ伸縮自在に形成された管体と、該管体の外面に突出形成され、前記管体を伸ばしたときに前記第２の液体タンクに当接する管体位置決め部とを備えるものである。
【０００８】
本考案の請求項３は、前記取手部は、前記管体を伸ばしたときに前記第２の液体タンクに当接するものである。
【０００９】
本考案の請求項４は、前記管体位置決め部は、ほぼ水平状に形成されているものである。
【００１０】
本考案の請求項５は、前記管体は、外管と該外管に挿通された内管とを備え、前記内管の内部には、貫通孔から前記外管の内面に接触する摺接部と、該摺接部を前記外管の内面へ付勢する弾性部とが設けられているものである。
【００１１】
本考案の請求項６は、前記第１の液体タンク及び前記第２の液体タンクをそれぞれ液体燃料タンクとしたものである。
【００１２】
本考案の請求項７は、前記菅体は、複数の菅部で構成されており、前記複数の菅部は、前記第１の液体タンクの吐出口に取り付けられた基端側から先端側へゆくに従って段階的に径が大きく選定されているものである。
【考案の効果】
【００１３】
本考案の請求項１によれば、液体が付着した筒体であっても、取手部を用いることにより筒体を直接触れずに該筒体を伸縮させることができるので、管体に付着した液体が使用者の手に付着することを未然に防止でき、かくして使用者が手を汚すことなく液体の供給作業を行うことができる。
【００１４】
本考案の請求項２によれば、管体位置決め部によって当該管体が第２の液体タンク内に必要以上に挿入されることを防止できるので、管体に液体が付着することを未然に回避でき、かくして使用者が手を汚すことなく液体の供給作業を行うことができる。
【００１５】
本考案の請求項３によれば、取手部によって当該管体が第２の液体タンク内に必要以上に挿入されることを防止できるので、管体に液体が付着することを未然に回避できる。
【００１６】
本考案の請求項４によれば、ほぼ水平状に形成された給液口に対して管体位置決め部を密着させ確実に当接させることができる。
【００１７】
本考案の請求項５によれば、第１の液体タンクから第２の液体タンクまでの距離に合わせて管体の長さを確実に調節することができ、かくして第１の液体タンクの吐出口と第２の液体タンクと給液口とを確実に連通させることができる。また、外部に露出しないように内管の内部に弾性部及び摺接部が設けられていることにより、使用者が取手部を把持する際に弾性部及び摺接部がその妨げとなることを防止できる。
【００１８】
本考案の請求項６によれば、管体に付着した液体燃料が使用者の手に付着することを未然に防止でき、かくして使用者が手を汚すことなく液体燃料の供給作業を行うことができる。
【００１９】
本考案の請求項７によれば、第１の液体タンクの吐出口から第２の液体タンクの給液口までの距離が長い場合であっても、管体全体の長さ寸法をさらに適宜所望の長さにまで延長し得、これにより菅体の先端側を給液口に対して一段と確実に位置決めできる。
【考案を実施するための最良の形態】
【００２０】
以下、本考案における好ましい実施例について、添付図面を参照しながら説明する。
【００２１】
図１（Ａ）及び（Ｂ）において、１は本考案による給油補助具２をホームタンク100の吐出口101に取り付けた補助付ホームタンクを示し、この補助付ホームタンク１は、短縮した給油補助具２が伸ばされ、ホームタンク100内の液体燃料を、給油補助具２内を通過させてポリタンク103に供給し得るようになされている。
【００２２】
実際上、給液補助具としての給油補助具２は、図２に示すように、全体としてほぼ円筒状でなり、第１の管部３に対し第２の管部４が伸縮自在に設けられた管体５と、当該管体５を伸縮させる際の取手となるストッパ機能付取手部６とで構成されている。
【００２３】
ここで内管としての第１の管部３は、筒本体部７が第２の管部４の開口部８から挿通され、第２の管部４を通って露出した筒本体部７の一端に取付部９が固着された構成でなる。これにより第１の管部３は第２の管部４に対し押込み及び引出し自在に設けられている。
【００２４】
ここで基端となる取付部９は、第２の管部４の径よりも大きな径でなる拡径部10を備えており、これにより第１の管部３を第２の管部４内に押込んでいったとき、第２の管部４の端部が拡径部10に当接し、かくして第１の管部３が第２の管部４の開口部８側から脱落しないように構成されている。
【００２５】
また、この取付部９には、雄ねじが螺刻されたねじ部11が設けられており、このねじ部11がホームタンク100の吐出口101に形成されたねじ穴（雌ねじ部）に螺着し得るようになされている。
【００２６】
かかる構成に加えて、外管としての第２の管部４は、その外面に対しストッパ機能付取手部６が突出形成されている。
【００２７】
ここで、このストッパ機能付取手部６は、棒状部材が折り曲げられることによりほぼＵ字状に形成されており、その先端たる湾曲部分12を当該第２の管部４の外面から突出させるように両端部13が第２の管部４外面に固着されている。このようにしてストッパ機能付取手部６は、使用者が指で把持し得、つまみ手段となるような外観形状を有する。
【００２８】
図３（Ａ）及び（Ｂ）に示すように、第１の管部３の内部には、他端の外面に突起部14が形成されており、第１の管部３を第２の管部４から引出していったとき、第２の管部４の端部に設けた縮径部15に当該突起部14が当たり、これにより第１の管部３が第２の管部４の縮径部15側から脱落しないように構成されている。
【００２９】
また、第１の管部３の内部には、突起部14と端部7aとの間に押圧手段20が設けられている。
【００３０】
実際上、この押圧手段20は、第１の管部３の他端に穿設された貫通孔21に配置された摺接部材22と、この摺接部材22を外方へ付勢する弾性部材23とで構成されている。
【００３１】
すなわち、押圧手段20は、弾性部材23で摺接部材22を付勢し、この付勢によって生じる押圧力で、貫通孔21において摺接部材22を第２の管部４の内面に接触させ、第２の管部４を第１の管部３に対し係止させ得る。
【００３２】
かくして、押圧手段20は、第２の管部４を第１の管部３に対し所望する位置で停止させることができ、管体５全体の長さ寸法を所望の長さに選定し得るようになされている。
【００３３】
以上の構成において、ホームタンク100（図１（Ａ）及び（Ｂ））に貯蔵された液体燃料をポリタンク103へ供給する供給作業を行う際、まず、ホームタンク100の吐出口101に形成されたねじ孔に給油補助具２のねじ部11を螺着させることにより、ホームタンク100の吐出口101に給油補助具２を固定配置する（図１）。
【００３４】
これにより、ホームタンク100の吐出口101と、当該吐出口101下方に設置したポリタンク103の給油口104との間に給油補助具２を配置できる。
【００３５】
この状態で、使用者は、第２の管部４に突出形成されたストッパ機能付取手部６を把持し、当該ストッパ機能付取手部６を用いて第２の管部４を引き下げることにより、第１の管部３内から第２の管部４を引出すことができる。
【００３６】
ここでストッパ機能付取手部６は、第２の管部４の半径方向の長さ寸法がポリタンク103の給油口104の径よりも長く選定されており、これにより第２の管部４を引き下げてゆくことにより、図４に示すように、給油口104の周囲にストッパ機能付取手部６を当接させることができ、かくして第２の管部４の先端たる開口部８を給油口104に対して正確に位置決めできる（図２）。
【００３７】
そして、このとき、第２の管部４は、押圧手段20によって第１の管部３に係止されていることにより、ストッパ機能付取手部６から使用者が手を離しても所定の長さに選定された状態を維持できる。
【００３８】
このようして使用者は、筒本５自体を直接触れることなく、ストッパ機能付取手部６によって管体５の長さ寸法を調節できるとともに、ポリタンク103の給油口104を介して第２の管部４の開口部８をポリタンク103内部に配置できる。
【００３９】
因みに、この実施の形態の場合、ストッパ機能付取手部６は第２の管部４の外面に対してほぼ直角（水平状）に設けられていることにより、使用者に対してストッパ機能付取手部６を容易に把持させることができるとともに、ほぼ水平状に形成された給油口104に対して確実に密着させ位置決めできる。
【００４０】
かくして、この状態でホームタンク100のバルブ105が開らかれることにより、当該ホームタンク100内に貯蔵された液体燃料を、管体５内を通過させてポリタンク103へ供給できる。
【００４１】
その後、バルブ105を閉じて液体燃料がホームタンク100からポリタンク103に供給し終えると、使用者は、ストッパ機能付取手部６を再び把持し、当該ストッパ機能付取手部６を介して第２の管部４を引き上げることにより、第１の管部３内に第２の管部４を収納できる。
【００４２】
このようして使用者は筒本５自体を直接触れることなく、管体５の長さ寸法を短くさせてポリタンク103の給油口104から第２の管部４を抜き出すことができる。
【００４３】
以上のように、本実施例では、液体燃料が付着した筒体５であっても、ストッパ機能付取手部６を用いることにより筒体５を直接触れずに当該筒体５を伸縮させることができるので、管体５に付着した液体燃料が使用者の手に付着することを未然に防止でき、かくして使用者が手を汚すことなく液体燃料の供給作業を行うことができる。
【００４４】
また、本実施例では、管体位置決め部としてのストッパ機能付取手部６によって当該管体５がポリタンク103内に必要以上に挿入されることを防止できるので、管体５に液体燃料が付着することを未然に回避でき、かくして使用者が手を汚すことなく液体燃料の供給作業を行うことができる。
【００４５】
さらに、本実施例では、ストッパ機能付取手部６がほぼ水平状に形成されていることにより、ほぼ水平状に形成された給油口104に対してストッパ機能付取手部６を密着させ確実に当接させることができる。
【００４６】
さらに、本実施例では、押圧手段20を設けたことにより、ホームタンク100からポリタンク103までの距離に合わせて管体５の長さを確実に調節することができ、かくしてホームタンク100の吐出口101とポリタンク103の給油口104とを確実に連通させることができる。また、外部に露出しないように第１の管部３の内部に弾性部材23及び摺接部材22が設けられていることにより、使用者がストッパ機能付取手部６を把持する際に弾性部材23及び摺接部材22がその妨げとなることを防止できる。
【００４７】
なお、上述した実施の形態においては、第１及び第２の管部３及び４で構成した管体５を適用するようにした場合について述べたが、本考案はこれに限らず、図２との対応部分に同一符号を付して示す図５及び図６のように、第１の管部３と第２の菅部４との間にさらに第１及び第２の中間菅部52及び53を設けた菅体51を適用するようにしても良い。
【００４８】
実際上、このような給油補助具50では、ホームタンク100の吐出口101に取り付けられた基端側となる第１の菅部３から先端側となる第２の菅部４へゆくに従って段階的に径が大きく選定されている。すなわち、菅体51は、第１の菅部３に第１の中間菅部52が嵌挿されているとともに、この第１の中間菅部52に第２の中間菅部53が嵌挿され、さらにこの第２の中間菅部53に第２の菅部４が嵌挿された構成を有する。
【００４９】
また、このような給油補助具50は、図３に示した構成と同様の押圧手段20（図３）が第１の菅部３の内部に設けられており、この押圧手段20により第１の菅部３に対し第１の中間菅部52を係止し得るようになされている。また、給油補助具50は、さらに同様の構成でなる押圧手段20（図３）が第１の中間菅部52及び第２の中間菅部53の内部にもそれぞれ設けられており、各押圧手段20によって第１の中間菅部52に対し第２の中間菅部53を係止し得るとともに、第２の中間菅部53に対し第２の菅部４を係止し得るようになされている。
【００５０】
かくして、給油補助具50では、ホームタンク100の吐出口101からポリタンク103の給油口104までの距離が長い場合であっても、管体５全体の長さ寸法をさらに適宜所望の長さにまで延長し得、これにより第２の管部４の開口部８を給油口104に対して一段と確実に位置決めできる。
【００５１】
なお、上述した菅体51は、中間菅部として２本の第１及び第２の中間菅部52及び53を設けるようにした場合について述べたが、本考案はこれに限らず、ホームタンク100の吐出口101からポリタンク103の給油口104までの距離に応じて、適宜、上述した中間菅部を３本や４本などに増やし種々の本数で構成するようにしても良い。
【００５２】
また、上述した実施の形態においては、棒状部材が折り曲げられることによりほぼＵ字状に形成されたストッパ機能付取手部６を適用するようにした場合について述べたが、本考案はこれに限らず、使用者が指で伸縮方向に外力を付加し得、管体５を伸縮させる際の取手となれば、単なる棒体や板材など管体の外面に突出形成された種々のストッパ機能付取手部を適用するようにしても良い。
【００５３】
さらに、上述した実施の形態においては、弾性部及び摺接部として、弾性部材23及び摺接部材22をそれぞれ別体にするようにした場合について述べたが、本考案はこれに限らず、弾性部材23の一部を摺接部として弾性部と摺接部とを一体成形させるようにしても良い。
【００５４】
さらに、上述した実施の形態においては、ストッパ機能付取手部６を給油口104に当接させて管体５を位置決めするような形状とした場合について述べたが、本考案はこれに限らず、ストッパ機能付取手部６をポリタンク103の他の箇所に当接させて管体５を位置決めするような形状としても良い。
【００５５】
さらに、上述した実施の形態においては、本考案について、液体燃料を給油する給油補助具に適用するようにした場合について述べたが、本考案はこれに限らず、廃液などこの他種々の液体を給液する給液補助具に適用するようにしても良い。
【図面の簡単な説明】
【００５６】
【図１】本考案による給油補助具を用いた補助付ホームタンクの全体構成を示す正面図である。
【図２】給油補助具の構成を示す斜視図である。
【図３】給油補助具の構成を示す部分断面図である。
【図４】ストッパ機能付取手部がポリタンクの給油口に当接した様子を示す正面図である。
【図５】他の実施の形態による給油補助具の構成を示す斜視図である。
【図６】他の実施の形態による給油補助具が短縮したときの様子を示す正面図である。
【符号の説明】
【００５７】
２、50  給油補助具（給液補助具）
３  第１の管部（内管）
４  第２の管部（外管）
５、51  筒体
６  ストッパ機能付取手部（取手部、管体位置決め部）
22  摺接部材
23  弾性部材
100  ホームタンク（第１の液体タンク）
103  ポリタンク（第２の液体タンク）
104  給油口（給液口）
【図１】
0003108433.tif 000003
【図２】
0003108433.tif 000004
【図３】
0003108433.tif 000005
【図４】
0003108433.tif 000006
【図５】
0003108433.tif 000007
【図６】
0003108433.tif 000008